(57)【要約】【課題】外観を殆ど変更することなくキャビネット表面に発生する傷を目立ち難くしたスライド式携帯電話機を提供する。【解決手段】本発明の一実施形態に係るスライド式携帯電話機においては、第１キャビネット１の表面に操作部４が配備される一方、第２キャビネット２の表面に液晶表示部５が配備されており、両キャビネット１，２を閉じた閉じ位置では操作部４が第２キャビネットによって被覆され、両キャビネット１，２を開いた開き位置では操作部４の全体が露出する。ここで、操作部４は、その少なくとも一部が樹脂製のシートキー41により構成され、該シートキー41の両側には、スライド方向に延びた左右一対の樹脂製の縁部42，42がシートキー41と一体に形成される一方、第２キャビネット２の裏面には、一対の縁部42，42と対向する位置に一対の突起部が形成されており、一対の縁部42，42の表面にはシボ加工が施されている。【選択図】図１
2011010141.tif 000002
【特許請求の範囲】
【請求項１】
第１キャビネットと第２キャビネットとが互いにスライド可能に連結され、第１キャビネットの表面には操作部が配備される一方、第２キャビネットの表面には表示部が配備されており、キャビネットを閉じた閉じ位置では前記操作部の少なくとも一部が第２キャビネットによって被覆され、キャビネットを開いた開き位置では前記操作部の全体が露出するスライド式携帯電話機において、
前記操作部は、その少なくとも一部がシートキーにより構成され、該シートキーの両側には、スライド方向に延びた左右一対の縁部が前記シートキーと一体に形成される一方、前記第２キャビネットの裏面には、前記一対の縁部と対向する位置に一対の突起部が形成されていることを特徴とするスライド式携帯電話機。
【請求項２】
前記一対の縁部の表面にはシボ加工が施されている請求項１に記載のスライド式携帯電話機。
【請求項３】
前記シートキーと一対の縁部は何れも樹脂製である請求項１又は請求項２に記載のスライド式携帯電話機。
【請求項４】
前記シートキーと一対の縁部は、ＰＥＴシートの表面に紫外線硬化樹脂を用いて一体に形成されている請求項３に記載のスライド式携帯電話機。
【請求項５】
前記縁部は、前記閉じ位置にて該縁部の一方の端部に前記突起部が当接し、前記開き位置にて該縁部の他方の端部に前記突起部が当接する形状を有し、前記縁部は更に、その長手方向の両端部間の表面領域が凹状に湾曲した形状を有している請求項１乃至請求項４の何れかに記載のスライド式携帯電話機。
【発明の詳細な説明】
【技術分野】
【０００１】
本発明は、スライド式携帯電話機に関し、特にスライド操作による傷の発生を抑制或いは目立ち難くしたスライド式携帯電話機に関する。
【背景技術】
【０００２】
スライド式携帯電話機は、第１キャビネットと第２キャビネットとを互いにスライド可能に連結して構成されており、第１キャビネットの表面には操作部が配備される一方、第２キャビネットの表面には液晶表示部が配備されている。両キャビネットを閉じた閉じ位置では第１キャビネットの操作部が第２キャビネットによって被覆され、両キャビネットを開いた開き位置では第１キャビネットの操作部が露出してキー操作が可能となる（例えば、特許文献１参照）。
【０００３】
従来のスライド式携帯電話機においては、両キャビネットの開閉時に第２キャビネットの裏面と第１キャビネットの表面とが互いに擦れ合い、該表面に傷が発生する問題があった。
【０００４】
そこで、第１キャビネットの表面にコーティング処理等を施すことにより傷を目立ち難くすることや、傷の付き易い領域の一部を凸状に形成することにより傷の付く面積を減らすことが考えられている。又、傷の付き易い領域に、該領域を保護するべく柔軟性のあるシート（例えば、高密度ポリエチレン製のシート）を貼り付けることが考えられている。
【先行技術文献】
【特許文献】
【０００５】
【特許文献１】特開２００９−７１３６４号公報
【発明の概要】
【発明が解決しようとする課題】
【０００６】
しかしながら、第１キャビネットの表面にコーティング処理等を施した場合には、第１キャビネットの表面の光沢度が低下し、傷の付き易い領域の一部に凸状を形成した場合には、キャビネット表面の形状が変更される等、スライド式携帯電話機の外観を変更せざるを得なくなる。
又、傷の付き易い領域に柔軟性のあるシートを貼り付けた場合には、該シートの表面に砂等の硬い物質が付着し易く、該物質によりキャビネット表面に傷が発生する問題ある。
【０００７】
そこで本発明の目的は、外観を殆ど変更することなくキャビネット表面に発生する傷を目立ち難くしたスライド式携帯電話機を提供することである。
【課題を解決するための手段】
【０００８】
本発明に係るスライド式携帯電話機は、第１キャビネットと第２キャビネットとを互いにスライド可能に連結して構成されており、第１キャビネットの表面には操作部が配備される一方、第２キャビネットの表面には表示部が配備されており、キャビネットを閉じた閉じ位置では前記操作部の少なくとも一部が第２キャビネットによって被覆され、キャビネットを開いた開き位置では前記操作部の全体が露出する。
ここで、前記操作部は、その少なくとも一部がシートキーにより構成され、該シートキーの両側には、スライド方向に延びた左右一対の縁部が前記シートキーと一体に形成される一方、前記第２キャビネットの裏面には、前記一対の縁部と対向する位置に一対の突起部が形成されている。
【０００９】
上記スライド式携帯電話機においては、上記両キャビネットがスライドして閉じ位置と開き位置との間を相対移動するとき、第２キャビネットの裏面に形成されている一対の突起部は、シートキーの両側に形成されている左右一対の縁部上を該縁部に沿って移動することになる。よって、スライド時に突起部が第１キャビネットの表面を摺動して該表面に傷が発生したときでも、その傷は縁部の表面にのみ発生することになる。よって、該傷を目立ち難くすることが出来る。
【００１０】
又、上述の如く一対の縁部がシートキーと一体に形成されているので、これらが互いに別体になっている従来の構成と比較して、シートキー及び一対の縁部の作製が容易である。
【００１１】
更に、従来のスライド式携帯電話機、特に第１キャビネットの表面の内、傷の付き易いシートキー両側の領域に柔軟性のあるシートを貼り付けた従来のスライド式携帯電話機と比較して、上記スライド式携帯電話機は、その外観を殆ど変更する必要がない。
【００１２】
上記スライド式携帯電話機の具体的構成において、前記一対の縁部の表面にはシボ加工が施されている。
該具体的構成によれば、縁部の表面に傷が発生したときでも該傷が目立ち難くなる。
【００１３】
上記スライド式携帯電話機の他の具体的構成において、前記シートキーと一対の縁部は何れも樹脂製である。
該具体的構成によれば、シートキーと一対の縁部とを上述の如く一体に形成することが容易になる。
【００１４】
より具体的な構成において、前記シートキーと一対の縁部は、ＰＥＴシートの表面に紫外線硬化樹脂を用いて一体に形成されている。
【００１５】
上記スライド式携帯電話機の更なる他の具体的構成において、前記縁部は、前記閉じ位置にて該縁部の一方の端部に前記突起部が当接し、前記開き位置にて該縁部の他方の端部に前記突起部が当接する形状を有し、前記縁部は更に、その長手方向の両端部間の表面領域が凹状に湾曲した形状を有している。
【００１６】
上記具体的構成おいては、縁部の両端部間の表面領域が凹状に湾曲しているため、スライド時には突起部は縁部の表面に接触し難く、従って突起部と縁部の表面との間には摩擦力が発生し難い。よって、スライド式携帯電話機の使用者は、スライド操作時において抵抗を殆ど感じることがない。
一方、スライド操作により閉じ位置又は開き位置に到達したときには、突起部が縁部の端部に当接するため、突起部と縁部の表面との間には摩擦が発生することになる。よって、このときスライド式携帯電話機の使用者は抵抗を感じ、これにより使用者はスライド式携帯電話機が閉じ位置又は開き位置に到達したことを認識することになる。
【発明の効果】
【００１７】
本発明に係るスライド式携帯電話機は、外観の変更が殆どないにも拘わらずキャビネット表面に発生する傷が目立ち難い。
【図面の簡単な説明】
【００１８】
【図１】本発明の一実施形態に係るスライド式携帯電話機を示す分解斜視図である。
【図２】該スライド式携帯電話機の閉じ位置を説明するための斜視図である。
【図３】該スライド式携帯電話機の開き位置を説明するための斜視図である。
【図４】該スライド式携帯電話機を構成する第２キャビネットの正面図である。
【図５】該スライド式携帯電話機を構成する第１キャビネットの正面図である。
【図６】該スライド式携帯電話機の操作部を表面側から見た斜視図である。
【図７】該操作部を裏面側から見た斜視図である。
【図８】該操作部の分解斜視図である。
【図９】該操作部の正面図である。
【図１０】図９のＡ−Ａ線に沿う断面図である。
【図１１】図１０のＤ領域を拡大して示した断面図である。
【図１２】図９のＢ−Ｂ線に沿う断面図である。
【図１３】図１２のＥ領域を拡大して示した断面図である。
【図１４】図９のＣ−Ｃ線に沿う断面図である。
【図１５】（ａ）図１４のＦ１領域を拡大して示した断面図、及び（ｂ）図１４のＦ２領域を拡大して示した断面図である。
【発明を実施するための形態】
【００１９】
以下、本発明の実施の形態につき、図面に沿って具体的に説明する。
本発明の一実施形態に係るスライド式携帯電話機は、図１に示す如く、第１キャビネット(１)と第２キャビネット(２)とをスライド機構(３)によって互いにスライド可能に連結して構成されており、第１キャビネット(１)の表面には操作部(４)が配備される一方、第２キャビネット(２)の表面には液晶表示部(５)が配備されている。
【００２０】
スライド機構(３)は、ガイド部(31)とスライド部(32)とから構成され、ガイド部(31)は、第１キャビネット(１)の表面の内、操作部(４)が配備されている領域とは異なる領域に固定され、スライド部(32)は、第２キャビネット(２)の裏面に固定されている。
【００２１】
ガイド部(31)には、その両端位置に左右一対のガイド溝(311)(311)が形成されており、スライド部(32)は、その両端部(321)(321)が左右一対のガイド溝(311)(311)に摺動自在に係合し、これによりスライド部(32)の移動方向が第１キャビネット(１)の長手方向に規定されている。
【００２２】
これにより、第１キャビネット(１)と第２キャビネット(２)は、図２に示す如く両キャビネット(１)(２)が閉じて操作部(４)が第２キャビネット(２)により被覆された閉じ位置と、図３に示す如く両キャビネット(１)(２)が開いて操作部(４)が露出した開き位置との間で相対移動すること可能となっている。
【００２３】
上記スライド式携帯電話機において、操作部(４)は、図８及び図１１に示す様に、ＰＥＴ（ポリエチレンテレフタレート）シート(43)の表面に樹脂製のシートキー(41)を形成して構成されており、該樹脂には、光透過性を有するものが用いられている。又、ＰＥＴシート(43)の裏面には、シートキー(41)に形成されている複数のキー(44)・・・(44)と対向する位置に、各キー(44)に対応して数字や文字等の標記が印刷されており、これらの標記は、図６に示す様に、シートキー(41)を介して該シートキー(41)の表面側から視認可能となっている。
【００２４】
ＰＥＴシート(43)の表面には更に、図５及び図８に示す様にシートキー(41)の両側の位置に、スライド方向（第１キャビネット(１)の長手方向）に延びた左右一対の樹脂製の縁部(42)(42)が形成されており、図１３に示す様にシートキー(41)と一対の縁部(42)(42)は、紫外線硬化樹脂を用いて一体に形成されている。又、図９にてハッチングによって示す様に、一対の縁部(42)(42)の表面にはシボ加工が施されている。
【００２５】
尚、ＰＥＴシート(43)の裏面には、図８及び図１１に示す如く、両面接着テープ(45)によりラバー(46)が貼り付けられており、該ラバー(46)の裏面には、図７及び図１１に示す様に、シートキー(41)に対する押圧力を第１キャビネット(１)内の基板上に配備されているボタンスイッチ(図示せず)に伝達するための複数の伝達部(47)・・・(47)が突設されている。
又、ＰＥＴシート(43)の裏面には、図７及び図８に示す様に、ラバー(46)を包囲する領域に両面接着テープ(48)が貼り付けられており、組立て状態においてＰＥＴシート(43)は、該両面接着テープ(48)により第１キャビネット(１)の表面に貼り付けられることになる。
【００２６】
一方、第２キャビネット(２)の裏面には、図４に示す如く、組立て状態にて第１キャビネット(１)側の一対の縁部(42)(42)と対向することとなる位置に、一対の突起部(21)(21)が形成されている。
【００２７】
そして、上記一対の縁部(42)(42)は、図１５(ａ)及び図１５（ｂ）に示す様に各縁部(42)の厚さ寸法が、該縁部(42)の長手方向の両端部（厚さ寸法Ｔ１，Ｔ２）よりも該両端部間の部分（厚さ寸法Ｔ３）にて小さくなっている。ここで、各縁部(42)の一方の端部は、閉じ位置にて該端部に突起部(21)が当接することとなる厚さ寸法Ｔ１を有し、各縁部(42)の他方の端部は、開き位置にて該端部に突起部(21)が当接することとなる厚さ寸法Ｔ２を有している。
斯くして、一対の縁部(42)(42)は何れも、閉じ位置にて各縁部(42)の一方の端部に突起部(21)が当接し、開き位置にて各縁部(42)の他方の端部に突起部(21)が当接する形状を有し、各縁部(42)は更に、その長手方向の両端部間の表面領域が凹状に湾曲する形状を有することとなっている。
【００２８】
上記スライド式携帯電話機においては、両キャビネット(１)(２)がスライドして閉じ位置と開き位置との間を相対移動するとき、第２キャビネット(２)の裏面に形成されている一対の突起部(21)(21)は、シートキー(41)の両側に形成されている左右一対の縁部(42)(42)上を該縁部(42)(42)に沿って移動することになる。よって、スライド時に突起部(21)が第１キャビネット(１)の表面を摺動して該表面に傷が発生したときでも、その傷は縁部(42)の表面にのみ発生することになる。
ここで、一対の縁部(42)(42)の表面にはシボ加工が施されているので、縁部(42)の表面に傷が発生したときでも該傷は目立ち難い。
【００２９】
又、上述の如く一対の縁部(42)(42)がシートキー(41)と一体に形成されているので、これらが互いに別体になっている従来の構成と比較して、シートキー(41)及び一対の縁部(42)(42)の作製が容易である。又、シートキー(41)及び一対の縁部(42)(42)は何れも樹脂製であるので、上述の如く一体に形成することが容易である。
【００３０】
更に、従来のスライド式携帯電話機、特に第１キャビネット(１)の表面の内、傷の付き易いシートキー(41)両側の領域に柔軟性のあるシートを貼り付けた従来のスライド式携帯電話機と比較して、本実施形態に係るスライド式携帯電話機は、その外観を殆ど変更する必要がない。
【００３１】
更に又、上記スライド式携帯電話機においては、各縁部(42)の両端部間の表面領域が凹状に湾曲しているため、スライド時には突起部(21)は縁部(42)の表面に接触し難く、従って突起部(21)と縁部(42)の表面との間には摩擦力が発生し難い。よって、スライド式携帯電話機の使用者は、スライド操作時において抵抗を殆ど感じることがない。
一方、スライド操作により閉じ位置又は開き位置に到達したときには、突起部(21)が縁部(42)の端部に当接するため、突起部(21)と縁部(42)の表面との間には摩擦が発生することになる。よって、このときスライド式携帯電話機の使用者は抵抗を感じ、これにより使用者はスライド式携帯電話機が閉じ位置又は開き位置に到達したことを認識することになる。
【００３２】
尚、本発明の各部構成は上記実施形態に限らず、特許請求の範囲に記載の技術的範囲内で種々の変形が可能である。例えば、キーシート(41)及び一対の縁部(42)(42)を構成する材質には、紫外線硬化樹脂に限らず、ＰＥＴ樹脂等、種々の樹脂を用いることが出来る。
【符号の説明】
【００３３】
(１)  第１キャビネット
(２)  第２キャビネット
(21)  突起部
(４)  操作部
(41)  シートキー
(42)  縁部
(43)  ＰＥＴシート
【図１】
2011010141.tif 000003
【図２】
2011010141.tif 000004
【図３】
2011010141.tif 000005
【図４】
2011010141.tif 000006
【図５】
2011010141.tif 000007
【図６】
2011010141.tif 000008
【図７】
2011010141.tif 000009
【図８】
2011010141.tif 000010
【図９】
2011010141.tif 000011
【図１０】
2011010141.tif 000012
【図１１】
2011010141.tif 000013
【図１２】
2011010141.tif 000014
【図１３】
2011010141.tif 000015
【図１４】
2011010141.tif 000016
【図１５】
2011010141.tif 000017